(57)【特許請求の範囲】
【請求項１】
結束機の本体１の内部に、多数個の結束鉄針１０ａの側面部が密着されるように接着剤１０ｂで接着した鉄針束１０を装填する鉄針供給台３が形成され、該鉄針供給台３の先端に鉄針出口３ａが形成され、該鉄針出口３ａの反対側から前記鉄針束１０を前記鉄針出口３ａの方に押すバネ１１が設置され、前記鉄針供給台３の内側に鉄針カバー３０が形成され、該鉄針カバー３０の先端部に鉄針圧出板１２が出入する挿入口３０ａが形成され、前記結束機の本体１に対し垂直になるように前記鉄針圧出板１２が取り付けられ、前記鉄針圧出板１２が前記挿入口３０ａを通じて一つの前記結束鉄針１０ａを押し出すことができ、前記結束機の本体１の先端にテープ切断室３ｃとテープ排出室８が設けられ、前記結束機の本体１の後端部に結束用テープ２０のテープリールを収納するテープ収納室２ａが設けられ、前記テープ排出室８に前記結束用テープ２０が供給され、前記結束機の本体１の上面に、作動レバー４により作動し復帰バネ５０１によって元の位置に戻される昇降作動体５を回転軸５ａで連結し、前記昇降作動体５の先端部にテープ牽引針６０１が設けられたテープ牽引装置６と結束鉄針折曲成形機５ｂを備えて、前記昇降作動体５を下降させ、前記テープ牽引装置６の作動板６０３が前記結束機の本体１の作動突起１００に押圧され、前記テープ牽引針６０１が設置棒６０７を軸にして内側に回動して、前記テープ排出室８に留まっている前記結束用テープ２０の末端を突き刺して結束リング２０ａを作り、該結束リング２０ａの両端部を前記結束鉄針１０ａで結束して、締結部２０ｂの外側を切断カッター７で切断することによって、結束作業を繰り返すことができる農業用結束機において、前記鉄針供給台３の前記鉄針出口３ａに面する側面であって前記鉄針出口３ａと隣接する位置に鉄針待機溝３ｂを形成し、前記鉄針圧出板１２の内側面に前記鉄針圧出板１２の先端から一定距離を置いて一つの前記結束鉄針１０ａを押し出すことができる幅の鉄針分離用突起１２ａを形成し、前記鉄針カバー３０の先端部に形成された前記挿入口３０ａの中央に前記鉄針分離用突起１２ａが通過できるように案内溝３０ｂを形成して成される農業用結束機。
【発明の詳細な説明】
【技術分野】
【０００１】
本発明は、ぶどうの幹を含め、各種の農作物の枝を所望する位置に迅速に維持させるため、支柱を立てて農作物を結束用テープにより支柱に結束するために使用する農業用結束機に関し、より具体的には、農業用結束機の結束鉄針を圧出させて結束用テープを結束する場合、結束鉄針を圧出する作業がスムーズであり、小さな力のみを要するように構成することで、作業者が感じる疲れを減少させ、結束鉄針による結束作業の精度を高め、機械の故障を減少させ、耐久性を有するように構成したものである。
【背景技術】
【０００２】
従来の農業用結束機は、結束鉄針をその側面部が互いに接するように並べ、接着剤で接着して農業用結束機の鉄針供給台に装填し、その出口に作動レバーの加圧力により作動する鉄針圧出板を設置して、結束鉄針を一つずつ分離しながら鉄針供給台の出口から外部に押し出して結束用テープに結合させるように構成されているため、作動レバーを押して結束鉄針を圧出すれば、鉄針圧出板が鉄針束から一つの結束鉄針を分離して鉄針供給部の出口の外部に押し出して結束用テープに結合させるので、その作業段階が一連の連続動作で短時間に発生し、所定の圧力を一気に加えるべきであるところ、作業者が作動レバーを作動させる際に相当な力を要するため、長時間に亘って作業すれば大変疲れてしまうという問題があり、また、農業用結束機を作動させる際に発生する抵抗が大きいため、鉄針圧出板の変形が生じ、結束鉄針の結合位置に正確に結合させることができず、結束作業の精度が低下してしまい、誤動作の発生要因となり、作業能率が低下するという不便があった。
【発明の概要】
【発明が解決しようとする課題】
【０００３】
本発明は、上記のような不便を解消するために開発されたものである。
【課題を解決するための手段】
【０００４】
上記の目的を達成するために、本発明は、結束鉄針が装填される鉄針供給台の鉄針出口に面する側面であって前記鉄針出口と隣接する位置に鉄針待機溝を形成して、圧出される結束鉄針が圧出される前に鉄針束から一つ分離されて圧出される時まで鉄針待機溝で待機できるように構成し、鉄針圧出板の鉄針待機溝側に面する側面の一定位置に鉄針分離用突起を形成して、分離された結束鉄針を圧出する際に、次に圧出する結束鉄針をその鉄針束から分離させて鉄針待機溝で待機できるように構成することで、よりスムーズに結束鉄針を圧出成形することができるようにして、作業者が感じる疲れを減少させ、機械故障の発生率も減少させて使用が容易な農業用結束機にしたものである。
【発明の効果】
【０００５】
このような本発明は、農業用結束機の本体の鉄針供給台に鉄針束を装填し、結束作業のために作動レバーを握りしめて鉄針圧出板を鉄針出口の挿入口に挿入すれば、鉄針圧出板が挿入口に挿入されながら鉄針出口で待機中であった結束鉄針を押し出し、押し出された結束鉄針が結束用テープを貫通して結束鉄針折曲成形機の方に移動するため、結束鉄針の両端が結束鉄針折曲成形機によって折り曲げられて結束用テープを結束するようになり、切断カッターが、結束された結束用テープの結束部の外側を切断して結束を仕上げる。
【０００６】
一方、本発明は、鉄針圧出板が結束鉄針を押し出す際に、鉄針圧出板の側面に形成された鉄針分離用突起が、鉄針束に接着されている一つの結束鉄針を鉄針束から分離して鉄針出口の方に移動させ、分離された結束鉄針は鉄針待機溝で待機するようになり、先に分離されて鉄針出口内で待機していた結束鉄針は鉄針圧出板によって圧出され、鉄針出口から出て結束用テープを結束するようになり、鉄針圧出板が元の位置に戻されれば、鉄針束から分離されて鉄針待機溝で待機中であった結束鉄針がバネの圧力を受けて鉄針出口の方に移動して鉄針出口で待機するようになり、鉄針束の先端は鉄針出口で待機中であった結束鉄針の側面に密着するようになるので、次の作業のために鉄針圧出板が挿入口に挿入されれば、鉄針出口にあった結束鉄針が鉄針出口から出て結束用テープが結束されるとともに、鉄針圧出板の側面に形成された鉄針分離用突起が鉄針束の接着剤に接触して一つの結束鉄針を分離させ、結束鉄針の進行路から鉄針待機溝の方向に移動させる結束鉄針の分離作業を行うようになるので、このような動作が繰り返されることによって、結束鉄針の分離と圧出成形が区分して行われ、作動レバーを作動させる際に、より小さな力で、スムーズに結束鉄針を押し出して結束用テープを結束することができるようになる効果が得られ、また、このような段階的な作動によって鉄針圧出板が受ける抵抗も減少させることができ、鉄針圧出板が容易に変形することも防止し、機械の故障の発生を著しく減少させることができるので、結束作業の信頼性を高めると共に、作業能率も向上させる効果が得られる。
【図面の簡単な説明】
【０００７】
【図１】本発明の作動レバーが作動された状態を正面から見た例示図である。
【図２】本発明の作動レバーが緩んだ状態を背面側から見た例示図である。
【図３】本発明の鉄針出口の拡大斜視図である。
【図４】本発明のテープ牽引装置の分解斜視図である。
【図５】テープ牽引装置の作動例示図である。
【図６】テープ牽引装置の作動例示図である。
【図７】テープ牽引装置の作動例示図である。
【図８】テープ牽引装置の作動例示図である。
【図９】図８に示された円の部分拡大図である。
【発明を実施するための形態】
【０００８】
本発明は、結束機の本体１の内部に、多数個の結束鉄針１０ａの側面部が密着するように接着剤１０ｂで接着した鉄針束１０を装填する鉄針供給台３が形成され、その鉄針供給台３の先端に鉄針出口３ａが形成され、その鉄針出口３ａの反対側から鉄針束１０を鉄針出口３ａの方に押すバネ１１が設置され、鉄針供給台３の内側に鉄針カバー３０が形成され、その鉄針カバー３０の先端部に鉄針圧出板１２が出入する挿入口３０ａが形成され、結束機の本体１に対し垂直になるように鉄針圧出板１２が取り付けられ、鉄針圧出板１２が挿入口３０ａを通じて一つの結束鉄針１０ａを押し出すことができるようになり、結束機の本体１の先端にテープ切断室３ｃとテープ排出室８が設けられ、結束機の本体１の後端部に結束用テープ２０のテープリールを収納するテープ収納室２ａが設けられ、テープ排出室８に結束用テープ２０が供給され、結束機の本体１の上面に、作動レバー４により作動し復帰バネ５０１によって元の位置に戻される昇降作動体５を回転軸５ａで連結し、昇降作動体５の先端部にテープ牽引針６０１が設けられたテープ牽引装置６と結束鉄針折曲成形機５ｂを備えて、昇降作動体５を下降させ、テープ牽引装置６の作動板６０３が結束機の本体１の作動突起１００に押圧され、テープ牽引針６０１が設置棒６０７を軸にして内側に回動して、テープ排出室８に留まっている結束用テープ２０の末端を突き刺して結束リング２０ａを作り、結束リング２０ａの両端部を結束鉄針１０ａで結束して、締結部２０ｂの外側を切断カッター７で切断することによって、結束作業を繰り返すことができる農業用結束機において、鉄針供給台３の鉄針出口３ａに面する側面であって前記鉄針出口３ａと隣接する位置に鉄針待機溝３ｂを形成し、鉄針圧出板１２の内側面に鉄針圧出板１２の先端から一定距離を置いて一つの結束鉄針１０ａを押し出すことができる幅の鉄針分離用突起１２ａを形成し、鉄針カバー３０の先端部に形成された挿入口３０ａの中央に鉄針分離用突起１２ａが通過できるように案内溝３０ｂを形成して成される構成である。
【０００９】
一方、本発明のテープ牽引装置６は、内部に、テープ牽引針６０１が形成された針板６００が設置され、針板６００に弾力を付与する針板加圧バネ６０２が設置され、針板加圧バネ６０２は、そのコイル部の一端に支持部６０２ａを形成し、他端は支持部６０２ａより長さを長くして末端に係止部６０２ｃを有する作動部６０２ｂを形成した構成であり、テープ牽引装置６のケース６ａの内部に形成されたバネ支持棒６０６に嵌めて、支持部６０２ａはケース６ａの内壁に密着させ、係止部６０２ｃはテープ牽引針６０１の外側に掛けられるように構成し、特に、針板加圧バネ６０２は、作動部６０２ｂの長さを支持部６０２ａの長さの２倍以上長く形成して弾力を小さくすることによって、テープ牽引針６０１の投入抵抗が小さくなるように構成されている。
【００１０】
以下、本発明の望ましい実施例について、添付した図面によって更に詳しく説明すれば次のようである。
【００１１】
添付した図１及び図２は、本発明の正面及び背面例示図であって、本発明は、結束機の本体１の底面にテープ収納室２ａを形成したテープ供給台２が設けられ、結束機の本体１の上面には鉄針供給台３を設置し、その先端部に鉄針出口３ａが形成され、結束機の本体１の上部には、作動レバー４が具備された昇降作動体５を回転軸５ａで連結し、昇降作動体５の先端部にはテープ牽引装置６を設けてその内部に牽引針６０１を具備し、テープ供給台２を通じて供給される結束用テープ２０をテープ排出室８に引出した後、結束リング２０ａを作って結束リング２０ａの両端を結束し、切断カッター７を用いて結束リング２０ａの結束部の外側を切断することで結束用テープ２０を用いた結束が行われるようになり、本発明の鉄針供給台３の鉄針出口３ａに面する側面であって前記鉄針出口３ａと隣接する位置に鉄針待機溝３ｂが形成され、鉄針束１０から分離された結束鉄針１０ａが圧出される前に一時的に留まるようになり、鉄針圧出板１２の側面には、鉄針束１０から一つの結束鉄針１０ａを分離できるように鉄針分離用突起１２ａが形成され、分離された結束鉄針１０ａを押し出して、鉄針束１０に接着されている一つの結束鉄針１０を分離して鉄針待機溝３ｂで待機させるようになる。
【００１２】
一方、昇降作動体５に設けられているテープ牽引装置６は、ケース６ａの内部に設置棒６０７を形成し、この設置棒６０７に作動板６０３と誘導板６０４と牽引針板６００を順次に嵌めて設置し、ケース６ａの内部に一体に形成されたバネ支持棒６０６には針板加圧バネ６０２を嵌め、その針板加圧バネ６０２の一端部に形成された支持部６０２ａはケース６ａの一側面の内壁に密着するようにし、バネの作動部６０２ｂに形成された係止部６０２ｃは、針板６００のテープ牽引針６０１の外側面に掛けられ、テープ牽引針６０１が設置棒６０７を軸にして回動する際、針板加圧バネ６０２によってテープ牽引針６０１が弾力を有する動作を行うようにする。
【００１３】
この際、針板加圧バネ６０２の作動部６０２ｂは、支持部６０２ａの長さより大略２倍以上に長く形成し、針板加圧バネ６０２によってテープ牽引針６０１が動作をする際、作動部６０２ｂに形成された係止部６０２ｃから力を受けるテープ牽引針６０１は弾力の小さい針板加圧バネ６０２の力が作用することで、テープ供給台２を通じて供給される結束用テープ２０を引っ張り出すために結束用テープ２０の先端にテープ牽引針６０１を投入する際に小さな弾力により投入できるため、テープ牽引針６０１を投入する結束用テープ２０の投入位置が裂けることを防止して、結束用テープ２０の引き出しをより正確に行うことができるようになり、それによって結束用テープ２０を用いた結束作業の信頼性を向上させると同時に、不要な結束用テープ２０の損傷を防止して、結束用テープ２０の無駄使いを防止することができ、結束用テープ２０の結束段階を見れば、昇降作動体５を下降させて作動板６０３をケース６ａの内部に少し押し込んだ場合、針板６００の軸棒６０１ａが針板加圧バネ６０２によって力を受けることになるが、作動板６０３の中央の作動孔６０３ａの上部の係止突起６０３ｂに掛けられた状態を維持し、作動板６０３をケース６ａの内部に更に押し込んだ場合、作動板６０３の作動孔６０３ａの上部の係止突起６０３ｂに掛けられていたテープ牽引針６０１の軸棒６０１ａが針板加圧バネ６０２の弾性によって下降するためテープ牽引針６０１が回動し、結束用テープ２０の方に進行して結束用テープ２０の末端にテープ牽引針６０１が投入され、昇降作動体５を上昇させれば、テープ供給部２を通じて供給される結束用テープ２０を引き出すようになり、引き出された結束用テープ２０で支柱と作物とを縛って結束リング２０ａを作り、結束鉄針１０ａを圧出してリングの両端を結束するようになり、結束動作が完了すれば作動バネ６０８によって作動板６０３と誘導板６０４が元の位置に戻され、次の作動に備えるようになる。
【符号の説明】
【００１４】
１：結束機の本体
２：テープ供給台
２ａ：テープ収納室
３：鉄針供給台
３ａ：鉄針出口
３ｂ：鉄針待機溝
３ｃ：テープ切断室
４：作動レバー
５：昇降作動体
５ａ：回転軸
５ｂ：結束鉄針折曲成形機
６：テープ牽引装置
６ａ：ケース
７：切断カッター
８：テープ排出室
１０：鉄針束
１０ａ：結束鉄針
１０ｂ：接着剤
１１：バネ
１２：鉄針圧出板
１２ａ：鉄針分離用突起
２０：結束用テープ
２０ａ：結束リング
２０ｂ：締結部
３０：鉄針カバー
３０ａ：挿入口
３０ｂ：案内溝
１００：作動突起
５０１：復帰バネ
６００：針板
６０１：テープ牽引針
６０１ａ：軸棒
６０２：針板加圧バネ
６０２ａ：支持部
６０２ｂ：作動部
６０２ｃ：係止部
６０３：作動板
６０３ａ：作動孔
６０３ｂ：係止突起
６０４：誘導板
６０６：バネ支持棒
６０７：設置棒
６０８：作動バネ
【図１】
0005948394.tif 000002
【図２】
0005948394.tif 000003
【図３】
0005948394.tif 000004
【図４】
0005948394.tif 000005
【図５】
0005948394.tif 000006
【図６】
0005948394.tif 000007
【図７】
0005948394.tif 000008
【図８】
0005948394.tif 000009
【図９】
0005948394.tif 000010